(57)【要約】【課題】  上部ケースと下部ケースとの組立て作業や、その分解作業が容易にでき、且つビビリ音の発生を防ぐことができる楽器ケースを提供する。  【解決手段】  上部ケース２と下部ケース３とを重ね合わせてなり、その内部にスピーカを備えた楽器ケース１において、上部ケース２と下部ケース３とが重なり合う接合部分にスライド操作によって接離可能に圧接するロック部材１３を備えた。従って、ロック部材１３をスライドさせて上部ケース２と下部ケース３とが重なり合う接合部分に圧接させることにより、スピーカ７の発音時に接合部分におけるビビリ音の発生を防ぐことができる。また、ロック部材１３をスライドさせるだけで、上部ケース２と下部ケース３との接合部分にロック部材１３を圧接させることができ、且つその圧接を解除することができるので、上部ケース２と下部ケース３との組立て作業、およびその分解作業が容易にできる。【選択図】        図４
2009223087.tif 000002
【特許請求の範囲】
【請求項１】
上部ケースと下部ケースとを重ね合わせてなり、その内部にスピーカを備えた楽器ケースにおいて、
前記上部ケースと前記下部ケースとが重なり合う接合部分にスライド操作によって接離可能に圧接するロック部材を備えていることを特徴とする楽器ケース。
【請求項２】
前記ロック部材は、前記接合部分である前記上部ケースの接合部と前記下部ケースの接合部との間にスライド可能に設けられたスライド板と、このスライド板に設けられてそのスライド操作によって前記上部ケースの接合部と前記下部ケースの接合部との一方に弾力的に圧接する弾性圧接部とを備えていることを特徴とする請求項１に記載の楽器ケース。
【請求項３】
前記ロック部材は、前記スライド板に設けられて前記上部ケースと前記下部ケースとの外部に露出し、この露出した部分を操作して前記スライド板をスライドさせる操作部を備えていることを特徴とする請求項２に記載の楽器ケース。
【発明の詳細な説明】
【技術分野】
【０００１】
この発明は、鍵盤楽器などの楽器に用いられる楽器ケースに関する。
【背景技術】
【０００２】
従来、鍵盤楽器においては、特許文献１に記載されているように、上部ケースと下部ケースとを重ね合わせて楽器ケースを構成する場合、上部ケースと下部ケースとの接合部分に隙間があると、スピーカで発音した際に、その音振動によって接合部分が共振してビビリ音を発生するため、接合部分における上部ケースと下部ケースとの一方にゴムなどの緩衝材を嵌め込んで、ビビリ音の発生を防ぐように構成したものが知られている。
【特許文献１】実開昭６２−１９８５９１
【発明の開示】
【発明が解決しようとする課題】
【０００３】
しかしながら、このような従来の楽器ケースでは、接合部分における上部ケースと下部ケースとの一方にゴムなどの緩衝材を嵌め込んで、上部ケースと下部ケースとを嵌合させる必要があるため、その組立て作業が煩雑で面倒であるという問題がある。
また、このような楽器ケースでは、上部ケースと下部ケースとを分解して修理や点検をする際、上部ケースと下部ケースとの接合部分にゴムなどの緩衝材が密着していると、上部ケースと下部ケースとを簡単に取り外すことができないという問題もある。
【０００４】
この発明が解決しようとする課題は、上部ケースと下部ケースとの組立て作業や、その分解作業が容易にでき、且つビビリ音の発生を防ぐことができる楽器ケースを提供することである。
【課題を解決するための手段】
【０００５】
この発明は、上記課題を解決するために、次のような構成要素を備えている。
請求項１に記載の発明は、上部ケースと下部ケースとを重ね合わせてなり、その内部にスピーカを備えた楽器ケースにおいて、前記上部ケースと前記下部ケースとが重なり合う接合部分にスライド操作によって接離可能に圧接するロック部材を備えていることを特徴とする楽器ケースである。
【０００６】
請求項２に記載の発明は、前記ロック部材が、前記接合部分である前記上部ケースの接合部と前記下部ケースの接合部との間にスライド可能に設けられたスライド板と、このスライド板に設けられてそのスライド操作によって前記上部ケースの接合部と前記下部ケースの接合部との一方に弾力的に圧接する弾性圧接部とを備えていることを特徴とする請求項１に記載の楽器ケースである。
【０００７】
請求項３に記載の発明は、前記ロック部材が、前記スライド板に設けられて前記上部ケースと前記下部ケースとの外部に露出し、この露出した部分を操作して前記スライド板をスライドさせる操作部を備えていることを特徴とする請求項２に記載の楽器ケースである。
【発明の効果】
【０００８】
この発明によれば、上部ケースと下部ケースとが重なり合う接合部分にロック部材がスライド操作によって圧接することにより、スピーカの発音時に上部ケースと下部ケースとの接合部分におけるビビリ音の発生を防ぐことができ、且つロック部材を一方向にスライドさせて上部ケースと下部ケースとの接合部分に圧接させることができると共に、ロック部材を逆方向にスライドさせてその圧接を解除することができるので、上部ケースと下部ケースとの組立て作業や、その分解作業が容易にできる。
【発明を実施するための最良の形態】
【０００９】
以下、図１〜図１０を参照して、この発明を鍵盤楽器に適用した一実施形態について説明する。
この鍵盤楽器は、図１および図２に示すように、楽器ケース１を備えている。この楽器ケース１は、上部ケース２と、下部ケース３と、両側の側部ケース４とで構成されている。また、この楽器ケース１には、鍵盤部５、スイッチ部６、およびスピーカ７などの鍵盤楽器に必要な各種の部品が組み込まれている。
【００１０】
鍵盤部５は、図２に示すように、下部ケース３に形成された鍵盤シャーシ部８上に複数の鍵９（この実施形態では白鍵および黒鍵）が上下方向に回動可能に配列された状態で設けられ、これら鍵９が上部ケース２の開口部２ａから外部に露出し、この露出した部分の鍵９が押鍵操作されるように構成されている。スイッチ部６は、上部ケース２内に設けられたスイッチ基板６ａ上に音色や音量などの楽音を調整するための各種のスイッチ釦６ｂが上部ケース１の上面から突出した状態で取り付けられた構成になっている。スピーカ７は、鍵盤部５の鍵９の押鍵操作に応じて楽音を発生するものであり、上部ケース２内における後部両側(図１では手前側の両側)に設けられている。
【００１１】
この場合、上部ケース２は、図１および図２に示すように、楽器ケース１の上部における前後方向（図２では左右方向）のほぼ中間部から、背面部（図２では左側の部分）における上下方向のほぼ中間部より下側に亘って形成され、上部におけるほぼ中間部から前面部（図２では右側の部分）に亘って開口部２ａが形成されている。下部ケース３は、楽器ケース１の前面部から背面部の下部側に亘って連続して形成されている。また、側部ケース４は、図１に示すように、上部ケース２と下部ケース３との両側にそれぞれ取り付けられて、上部ケース２と下部ケース３との両側部を塞ぐように構成されている。
【００１２】
ところで、上部ケース２と下部ケース３とは、上下に重なり合って接合するように構成されている。この場合、楽器ケース１の背面側(図２では左側)に位置する上部ケース２と下部ケース３との接合部分は、図２〜図４に示すように、上部ケース２の下部に位置する上部接合部１１と、下部ケース３の上部に位置する下部接合部１２とが、互いに対向する部分であり、上部ケース２の上部接合部１１が楽器ケース１の外側に位置し、下部ケース３の下部接合部１２が楽器ケース１の内側に位置するように構成されている。
【００１３】
この楽器ケース１の背面側に位置する上部ケース２と下部ケース３との接合部分には、図１〜図３に示すように、複数のロック部材１３が設けられている。このロック部材１３は、スライド操作によって上部ケース２の上部接合部１１と下部ケース３の下部接合部１２とに接離可能に圧接するように構成されている。すなわち、このロック部材１３は、図４〜図６に示すように、上部ケース２の上部接合部１１と下部ケース３の下部接合部１２との間にスライド可能に配置されたスライド板１４を備えている。
【００１４】
このスライド板１４は、上部ケース２の上部接合部１１の内面に、押え板１５によってスライド可能に押えられている。すなわち、このスライド板１４は、図５および図６に示すように、帯状の平板であり、上部ケース２の上部接合部１１の内面に設けられた横方向（図５では左右方向）に長いガイド溝部１６内に、その長手方向に沿ってスライド可能に配置されている。このスライド板１４の両側部には、一対の弾性圧接部１７が楽器ケース１の内側に向けて突出した状態で設けられている。この一対の弾性圧接部１７は、図６に示すように、それぞれほぼ半球状に膨出形成され、その各先端部側が押圧されると、弾性変形するように構成されている。
【００１５】
また、このスライド板１４の中間部には、図６に示すように、操作釦部１８が上部ケース２と下部ケース３との外部側、つまり楽器ケース１の外部側に向けて突出して設けられている。この操作釦部１８は、外側(図６では下側)に位置する上部ケース２の上部接合部１１にスライド板１４の長手方向に沿って設けられた長方形状の操作孔１９内に挿入されて楽器ケース１の外側に突出し、この突出した部分が楽器ケース１の外部から操作されて操作孔１９の長手方向に沿って移動操作することにより、スライド板１４をスライド溝部１６の長手方向に沿ってスライド移動させるように構成されている。
【００１６】
押え板１５は、図４〜図６に示すように、スライド板１４よりも少し大きいほぼ平板状に形成され、ガイド溝部１６内に配置されたスライド板１４をスライド可能に覆った状態で、上部ケース２の上部接合部１１の内面にビス２０によって取り付けられている。この場合、押え板１５には、スライド板１４の両側に設けられた一対の弾性圧接部１７がスライド板１４の長手方向に沿って移動可能に挿入して下部ケース３の下部接合部１２に向けて突出する長孔２１が設けられている。
【００１７】
また、上部ケース２の背面側(図２では左側)における内面には、図２〜図５に示すように、一対の押えリブ２２がロック部材１３にそれぞれ対応して設けられている。この一対の押えリブ２２は、図３および図５に示すように、スライド板１４の両側に位置する一対の弾性圧接部１７の間隔とほぼ同じ間隔で、ロック部材１３の長手方向に対し直交する方向に沿って上部ケース２の上部から下部に亘って設けられている。
【００１８】
すなわち、この一対の押えリブ２２は、図４〜図６に示すように、断面形状がほぼＬ字形状に形成され、ロック部材１３に対応する箇所に切込み凹部２３が設けられ、図４、図７、図８に示すように、この切込み凹部２３内に下部ケース３の上部に位置する下部接合部１２が挿入するように構成されている。これにより、一対の押えリブ２２は、上部ケース２の上部接合部１１と一対の押えリブ２２との間にロック部材１３を介して下部ケース３の下部接合部１２が挿入した際、その下部ケース３の下部接合部１２を上部ケース２の上部接合部１１との間に挟み込むように構成されている。
【００１９】
この場合、下部ケース３の下部接合部１２には、図３、図５、図８に示すように、押え板１５を取り付けるためのビス２０がそれぞれ挿入するスリット溝２４が上下方向に沿って設けられている。また、この下部ケース３の下部接合部１２におけるロック部材１３に対応する箇所には、図５、図８、図９に示すように、一対の挿入凹部２５が設けられている。この一対の挿入凹部２５は、図８および図９に示すように、断面がほぼ台形の凹部形状に形成され、下部ケース３の下部接合部１２が上部ケース２の上部接合部１１と一対の押えリブ２２との間に挿入する際に、ロック部材１３の一対の弾性圧接部１７がそれぞれ挿入するように構成されている。
【００２０】
これにより、ロック部材１３は、図９に示すように、下部ケース３の下部接合部１２に設けられた挿入凹部２５内にロック部材１３の弾性圧接部１７が挿入した状態で、スライド板１４がスライドして弾性圧接部１７が挿入凹部２５の斜面を乗り越えると、弾性圧接部１７が下部ケース３の下部接合部１２を上部ケース２の押えリブ２２に弾力的に押し付けるように構成されている。このため、ロック部材１３は、弾性圧接部１７が上部ケース２の押えリブ２２に対応するロック位置に移動した際に、弾性圧接部１７とスライド板１４とが上部ケース２の上部接合部１１と下部ケース３の下部接合部１２との両者に圧接するように構成されている。
【００２１】
また、ロック部材１３は、図１０に示すように、弾性圧接部１７とスライド板１４とが上部ケース２の上部接合部１１と下部ケース３の下部接合部１２とに弾力的に圧接した際に、位置規制部２６によって位置規制されるように構成されている。この位置規制部２６は、ロック部材１３の操作釦部１８に設けられた係止凹部２７と、上部ケース２の上部接合部１１に設けられた操作孔１９の縁部に設けられた係合突起２８とを備えている。これにより、位置規制部２６は、ロック部材１３のスライド板１４がスライドして一対の弾性圧接部１７がロック位置に移動した際に、係合突起２８が係止凹部２７に係脱可能に係合してスライド板１４をロック位置に位置規制するように構成されている。
【００２２】
次に、この楽器ケース１の上部ケース２と下部ケース３とを重ね合わせて接合する場合について説明する。
この場合には、予め、下部ケース３の鍵盤シャーシ部８に複数の鍵９を配列し、上部ケース２にスイッチ部６およびスピーカ７を設ける。また、上部ケース２の上部接合部１１の内面にはロック部材１３を取り付け、このロック部材１３のスライド板１４をスライドさせて一対の弾性圧接部１７を押えリブ２２から離れたアンロック位置に配置する。この状態で、下部ケース３上に上部ケース２を重ね合わせる。
【００２３】
このときには、上部ケース２の開口部２ａから鍵盤部５を露呈させると共に、上部ケース２の背面側に位置する上部接合部１１と下部ケース３の背面側に位置する下部接合部１２とを対向させた状態で、下部ケース３上に上部ケース２を重ね合わせて接合する。すなわち、上部ケース２の上部接合部１１と下部ケース３の下部接合部１２とを接合する際には、下部ケース３の下部接合部１２を上部ケース２の上部接合部１１に設けられた一対の押えリブ２２の各切込み凹部２３に相対的に挿入する。
【００２４】
この場合には、図８に示すように、ロック部材１３の押え板１５を取り付けるための各ビス２０を下部ケース３の下部接合部１２に設けられた各スリット溝２４に相対的に挿入すると共に、ロック部材１３の一対の弾性圧接部１７を下部ケース３の下部接合部１２に設けられた一対の挿入凹部２５内に挿入する。このため、下部ケース３の下部接合部１２に設けられた一対の挿入凹部２５によって、ロック部材１３の一対の弾性圧接部１７が下部ケース３の下部接合部１２に圧接せず、余裕を持って下部ケース３の下部接合部１２が上部ケース２の一対の押えリブ２２に設けられた各切込み凹部２３に相対的に挿入する。
【００２５】
この状態で、図示しない締結ビスによって上部ケース２と下部ケース３とを締結した後、ロック部材１３の操作釦部１８を操作して、スライド板１４を一方向（図８の矢印Ｘ方向）にスライドさせると、一対の弾性圧接部１７が上部ケース２の一対の押えリブ２２側に移動する。このときには、一対の弾性圧接部１７が一対の挿入凹部２５の斜面を乗り越えるので、一対の弾性圧接部１７がその弾性力によって下部ケース３の下部接合部１２を上部ケース２の一対の押えリブ２２に押し付けながら、一対の弾性圧接部１７が一対の押えリブ２２に対応するロック位置に移動する。
【００２６】
これにより、ロック部材１３は、その一対の弾性圧接部１７が弾性変形しながら、上部ケース２の上部接合部１１と下部ケース３の下部接合部１２とに圧接する。このときには、上部ケース２の上部接合部１１に設けられた操作孔１９の縁部に設けられた位置規制部２６の係合突起２８がスライド板１４の操作釦部１８に設けられた係止凹部２７に係脱可能に係合してスライド板１４をロック位置に位置規制する。
【００２７】
また、上部ケース２の上部接合部１１と下部ケース３の下部接合部１２とに対するロック部材１３の圧接を解除する場合には、操作釦部１８を逆方向つまり矢印Ｘ方向と反対方向に移動操作して、スライド板１４を同方向にスライドさせると、これに伴って一対の弾性圧接部１７がロック位置からアンロック位置に移動し、下部ケース３の下部接合部１２に設けられた一対の挿入凹部２５に挿入する。これにより、上部ケース２の上部接合部１１と下部ケース３の下部接合部１２とに対するロック部材１３の圧接が解除される。このため、下部ケース３の下部接合部１２を上部ケース２の上部接合部１１と押えリブ２２との間から容易に取り外すことができる。
【００２８】
このように、この楽器ケース１によれば、上部ケース２と下部ケース３とが重なり合う接合部分にロック部材１３がスライドして圧接することにより、スピーカ７の発音時に接合部分におけるビビリ音の発生を防ぐことができる。また、ロック部材１３を一方向(図８では矢印Ｘ方向)にスライドさせて上部ケース２の上部接合部１１と下部ケース３の下部接合部１２とに圧接させることができると共に、ロック部材１３を逆方向にスライドさせてその圧接を解除することができるので、上部ケース２と下部ケース３との組立て作業、およびその分解作業が容易にできる。
【００２９】
この場合、ロック部材１３は、楽器ケース１の接合部分である上部ケース２の上部接合部１１と下部ケース３の下部接合部１２との間にスライド可能に設けられたスライド板１４と、このスライド板１４に設けられてそのスライド操作によって上部ケース２の上部接合部１１と下部ケース３の下部接合部１２とに弾力的に圧接する弾性圧接部１７とを備えているので、ロック部材１３を上部ケース２の上部接合部１１と下部ケース３の下部接合部１２とに圧接させる際に、弾性圧接部１７が弾性変形することによってスライド板１４を円滑にスライドさせることができる。
【００３０】
また、弾性圧接部１７が弾性変形して、ロック部材１３を上部ケース２の上部接合部１１と下部ケース３の下部接合部１２とに圧接させているので、スピーカ７の発音時には、その音振動による上部ケース２の上部接合部１１と下部ケース３の下部接合部１２との共振を弾性圧接部１７によって吸収することができるので、接合部分におけるビビリ音の発生を確実に防ぐことができる。
【００３１】
また、この楽器ケース１では、ロック部材１３が、スライド板１４に設けられて上部ケース２と下部ケース３との外部つまり楽器ケース１の外部に露出し、この露出した部分を操作してスライド板１４をスライドさせる操作釦部１８を備えていることにより、上部ケース２と下部ケース３とを重ね合わせても、操作釦部１８が楽器ケース１の外部に露出するので、上部ケース２と下部ケース３とを重ね合わせた状態で、楽器ケース１の外部から操作釦部１８を容易に操作することができる。
【００３２】
このため、上部ケース２と下部ケース３とを重ね合わせた状態で、ロック部材１３を一方向（図８では矢印Ｘ方向）にスライドさせてロック部材１３を上部ケース２の上部接合部１１と下部ケース３の下部接合部１２とに圧接させることができると共に、ロック部材１３を逆方向にスライドさせてロック部材１３の圧接を解除することができるので、上部ケース２と下部ケース３との組立て作業や、その分解作業が、より一層、容易にできる。
【００３３】
さらに、この楽器ケース１では、ロック部材１３の弾性圧接部１７が上部ケース２の上部接合部１１と下部ケース３の下部接合部１２との一方に弾力的に圧接した際に、ロック部材１３を係脱可能に係止して位置規制する位置規制部２６を備えているので、弾性圧接部１７が上部ケース２の押えリブ２２に対応するロック位置に移動した際に、位置規制部２６によってロック部材１３を確実に位置規制することができる。
【００３４】
なお、上記実施形態では、鍵盤楽器に適用した場合について述べたが、必ずしも鍵盤楽器である必要はなく、スピーカを備えた楽器ケースに広く適用することができる。
【図面の簡単な説明】
【００３５】
【図１】この発明を適用した鍵盤楽器の一実施形態を示した外観斜視図である。
【図２】図１のＡ−Ａ矢視における拡大断面図である。
【図３】図２の楽器ケースを上部ケースと下部ケースとに分解してその背面部を楽器ケースの内側から見た要部の拡大図である。
【図４】図２の楽器ケースの背面部における上部ケースと下部ケースとの接合部分を示した要部の拡大断面図である。
【図５】図３のロック部材の箇所を示した要部の拡大図である。
【図６】図５のＢ−Ｂ矢視における要部の拡大断面図である。
【図７】図４の状態で下部ケースの下部接合部を上部ケースの上部接合部と押えリブとの間に挿入する状態を示した要部の拡大断面図である。
【図８】図６において下部ケースの下部接合部が挿入された状態におけるロック部材のアンロック状態を示した要部の拡大断面図である。
【図９】図８の状態におけるロック部材のロック状態を示した要部の拡大断面図である。
【図１０】図９の状態におけるロック部材の操作釦部を位置規制した状態を示した要部の拡大背面図である。
【符号の説明】
【００３６】
１  楽器ケース
２  上部ケース
３  下部ケース
７  スピーカ
１１  上部接合部
１２  下部接合部
１３  ロック部材
１４  スライド板
１７  弾性圧接部
１８  操作釦部
２２  押えリブ
２６  位置規制部
【図１】
2009223087.tif 000003
【図２】
2009223087.tif 000004
【図３】
2009223087.tif 000005
【図４】
2009223087.tif 000006
【図５】
2009223087.tif 000007
【図６】
2009223087.tif 000008
【図７】
2009223087.tif 000009
【図８】
2009223087.tif 000010
【図９】
2009223087.tif 000011
【図１０】
2009223087.tif 000012